(57)【要約】【課題】切削条件の異なる複数の帯鋸刃をエンドレス状に接続した帯鋸刃及びワークの切削加工方法を提供する。【解決手段】エンドレス状の帯鋸刃１であって、帯鋸刃の胴部材５に記憶素子９を埋設した構成であり、帯鋸刃１の周方向の複数箇所に、切削条件の異なる鋸歯群１Ａ，１Ｂを備えた切削条件の異なる鋸歯群の間に、境界を示すマーク３を備えた構成である。そしてエンドレス状の帯鋸刃１によってワークＷの切削加工を行うとき、ワークの切削加工位置の加工条件に対応して適正な鋸歯群を適用してワークの切削を行い、前記帯鋸刃１の不適正な鋸歯群がワークの加工位置に達したとき、前記不適正な鋸歯群を高速で前記加工位置を通過させ又は帯鋸刃を逆走させて、前記帯鋸刃１の適正な鋸歯群をワークの加工位置に再度適用してワークの切削を行うことを繰り返すワークの切削加工方法である。【選択図】      図１
2004261950.tif 000002
【特許請求の範囲】
【請求項１】
エンドレス状の帯鋸刃であって、帯鋸刃の胴部材に記憶素子を埋設したことを特徴とする帯鋸刃。
【請求項２】
エンドレス状の帯鋸刃であって、帯鋸刃の周方向の複数箇所に、切削条件の異なる鋸歯群を備えたことを特徴とする帯鋸刃。
【請求項３】
請求項２に記載の帯鋸刃において、切削条件の異なる鋸歯群の間に、境界を示すマークを備えたことを特徴とする帯鋸刃。
【請求項４】
請求項２又は３に記載の帯鋸刃において、帯鋸刃の胴部材に記憶素子を埋設したことを特徴とする帯鋸刃。
【請求項５】
切削条件の異なる鋸歯群を区画して備えたエンドレス状の帯鋸刃によってワークの切削加工を行う方法であって、ワークの切削加工位置の加工条件に対応して適正な鋸歯群を適用してワークの切削を行うことを特徴とするワークの切削加工方法。
【請求項６】
請求項５に記載のワークの切削加工方法において、前記帯鋸刃の不適正な鋸歯群がワークの加工位置に達したとき、前記不適正な鋸歯群を高速で前記加工位置を通過させ又は帯鋸刃を逆走させて、前記帯鋸刃の適正な鋸歯群をワークの加工位置に再度適用してワークの切削を行うことを繰り返すことを特徴とするワークの切削加工方法。
【請求項７】
エンドレス状の帯鋸刃によるワークの切削加工時に、当該帯鋸刃の歯欠けを検出したとき、当該歯欠け部分をワークから回避してワークの切削を行うことを特徴とするワークの切削加工方法。
【請求項８】
回転自在に備えた駆動ホイールと従動ホイールとにエンドレス状の帯鋸刃を掛回した帯鋸盤であって、前記帯鋸刃は当該帯鋸刃の周方向の複数箇所に切削条件の異なる鋸歯群を備えた構成であり、切削条件の異なる前記鋸歯群の境界を検出する境界検出手段を備えると共に、当該境界検出手段の検出結果に基づいてワークの切削を行うに適した適正な鋸歯群によりワークの切削を行い、不適正な鋸歯群が前記ワークの切削加工位置に達したときに当該不適正な鋸歯群によるワークの切削を回避する切削回避手段を備えたことを特徴とする帯鋸盤。
【請求項９】
請求項８に記載の帯鋸盤であって、前記切削回避手段は、前記駆動ホイールを回転するための制御モータの回転方向又は回転速度を制御するためのモータ制御手段を備えていることを特徴とする帯鋸盤。
【請求項１０】
回転自在に備えた駆動ホイールと従動ホイールとにエンドレス状の帯鋸刃を掛回した帯鋸盤であって、前記帯鋸刃の歯欠けを検出する歯欠け検出手段を備えたことを特徴とする帯鋸盤。
【請求項１１】
請求項１０に記載の帯鋸盤において、前記歯欠け検出手段によって歯欠けを検出したとき、帯鋸刃の歯欠け部分が切断するワークに作用することを回避するための歯欠け部回避手段を備えたことを特徴とする帯鋸盤。
【発明の詳細な説明】
【０００１】
【発明の属する技術分野】
本発明は、帯鋸刃及び当該帯鋸刃を使用したワークの切断加工方法並びに帯鋸盤に係り、さらに詳細には、鋸刃の管理を容易するための記憶素子を備えると共に切削条件の異なる鋸歯群を備えた帯鋸刃及びその帯鋸刃によるワークの切断加工方法並びに帯鋸盤に関する。
【０００２】
【従来の技術】
従来、帯鋸刃における鋸歯の形状や配置パターンには種々の形状、配置パターンがあるが、帯鋸刃に備えられる鋸歯群は、一種類であるのが一般的である。また、帯鋸刃の寿命管理等を行うために、帯鋸刃の胴部にバーコードを設けると共に上記バーコードの読取りを行うための読取り装置を備えた帯鋸盤が開発されている（例えば特許文献１参照）。
【０００３】
【特許文献１】
特開平６−３１５２９号公報
【０００４】
【発明が解決しようとする課題】
前述のごとき従来の構成においては、バーコードを利用しての帯鋸刃の寿命管理等を行い得るものの、帯鋸刃はワークの切断加工部に進入するものであるから胴部に設けたバーコードが消え易いという問題があると共に、帯鋸刃の管理はＮＣ装置又は上位のコンピュータによる管理であるので、全く別個の帯鋸盤に帯鋸刃を装着して使用する場合、帯鋸刃の履歴管理が難しいという問題がある。
【０００５】
また、従来の帯鋸刃においては、例えばＨ型鋼におけるフランジ部の切断時とウエブ部の切断時のように切削長が極端に変化する場合には、フランジ部切断用とウエブ部切断用とに帯鋸刃を使い分けることが望ましいのであるが、実際には、フランジ部とウエブ部とに対応し得るように一種類の鋸歯が設けられているが一般的である。
【０００６】
この場合、ワークの最大切削長の部分を切削する場合であっても、帯鋸刃における鋸歯と鋸歯との間のガレットに切粉を収容し得るように、ワークの最大切削長に対応して製造されるものであるから、例えば切削長が極端に短いフランジ部の切削に行うとき、ワークに作用する鋸歯数が少なく、切込み量が必要以上に大きくなって歯欠けを生じ易い等のさらに改良すべき問題がある。
【０００７】
【課題を解決するための手段】
本発明は前述したごとき従来の問題に鑑みてなされたもので、請求項１に係る発明は、エンドレス状の帯鋸刃であって、帯鋸刃の胴部材に記憶素子を埋設した構成である。
【０００８】
請求項２に係る発明は、エンドレス状の帯鋸刃であって、帯鋸刃の周方向の複数箇所に、切削条件の異なる鋸歯群を備えた構成である。
【０００９】
請求項３に係る発明は、請求項２に記載の帯鋸刃において、切削条件の異なる鋸歯群の間に、境界を示すマークを備えた構成である。
【００１０】
請求項４に係る発明は、請求項２又は３に記載の帯鋸刃において、帯鋸刃の胴部材に記憶素子を埋設した構成である。
【００１１】
請求項５に係る発明は、切削条件の異なる鋸歯群を区画して備えたエンドレス状の帯鋸刃によってワークの切削加工を行う方法であって、ワークの切削加工位置の加工条件に対応して適正な鋸歯群を適用してワークの切削を行うワークの切削加工方法である。
【００１２】
請求項６に係る発明は、請求項５に記載のワークの切削加工方法において、前記帯鋸刃の不適正な鋸歯群がワークの加工位置に達したとき、前記不適正な鋸歯群を高速で前記加工位置を通過させ又は帯鋸刃を逆走させて、前記帯鋸刃の適正な鋸歯群をワークの加工位置に再度適用してワークの切削を行うワークの切削加工方法である。
【００１３】
請求項７に係る発明は、エンドレス状の帯鋸刃によるワークの切削加工時に、当該帯鋸刃の歯欠けを検出したとき、当該歯欠け部分をワークから回避してワークの切削を行うワークの切削加工方法である。
【００１４】
請求項８に係る発明は、回転自在に備えた駆動ホイールと従動ホイールとにエンドレス状の帯鋸刃を掛回した帯鋸盤であって、前記帯鋸刃は当該帯鋸刃の周方向の複数箇所に切削条件の異なる鋸歯群を備えた構成であり、切削条件の異なる前記鋸歯群の境界を検出する境界検出手段を備えると共に、当該境界検出手段の検出結果に基づいてワークの切削を行うに適した適正な鋸歯群によりワークの切削を行い、不適正な鋸歯群が前記ワークの切削加工位置に達したときに当該不適正な鋸歯群によるワークの切削を回避する切削回避手段を備えた構成である。
【００１５】
請求項９に係る発明は、請求項８に記載の帯鋸盤であって、前記切削回避手段は、前記駆動ホイールを回転するための制御モータの回転方向又は回転速度を制御するためのモータ制御手段を備えた構成である。
【００１６】
請求項１０に係る発明は、回転自在に備えた駆動ホイールと従動ホイールとにエンドレス状の帯鋸刃を掛回した帯鋸盤であって、前記帯鋸刃の歯欠けを検出する歯欠け検出手段を備えた構成である。
【００１７】
請求項１１に係る発明は、請求項１０に記載の帯鋸盤において、前記歯欠け検出手段によって歯欠けを検出したとき、帯鋸刃の歯欠け部分が切断するワークに作用することを回避するための歯欠け部回避手段を備えた構成である。
【００１８】
【発明の実施の形態】
図１を参照するに、本発明の実施形態に係る帯鋸刃１は、エンドレス状の帯鋸刃であって、当該帯鋸刃１の周方向の複数箇所（本例では２ヶ所）には、例えば鋸歯ピッチが異なるごとく切削条件の異なる鋸歯群を備えた構成である。
【００１９】
より詳細には、帯鋸刃１は、鋸歯ピッチが例えば３／４Ｐの帯鋸刃１Ａと２／３Ｐの帯鋸刃１Ｂとの両端部を溶接することによってエンドレス状に構成してある。帯鋸刃１Ａと帯鋸刃１Ｂとの境界を示すマーク３の一例として、前記溶接部の構成を、図１（Ａ），（Ｂ）に示すように、帯鋸刃１Ａ，１Ｂにおける鋸歯のピッチよりも大きな間隔に亘って鋸歯が存在しない歯欠け状態の構成とすることができる。
【００２０】
上記マーク３としては、前述のごとき構成に代えて、例えば孔を設けることも可能である。孔を設ける位置としては、帯鋸刃１Ａと帯鋸刃１Ｂとを溶接した接合部に設けても良く、上記接合部から予め設定した所定寸法だけ離れた位置に孔を設けても良いものである。この場合、エンドレス状の帯鋸刃１の走行方向に見て接合部の前側に設けることが望ましいものである。
【００２１】
前記帯鋸刃１の管理を行うために、従来のごとくバーコードを胴部材に設けることも可能であるが、帯鋸刃１における胴部材５の適宜位置に穴７を設け、この穴７内にＲＦＩＤタグ等のごとき記憶素子９を配置し、接着剤によって一体的に固定することが望ましいものである。この場合、前記穴７は貫通孔であってもそうでなくても良いが、前記記憶素子９は、前記胴部材５の厚さ方向の中央部に配置することが望ましいものである。
【００２２】
このように、帯鋸刃１における胴部材５の厚み中心に記憶素子９を埋設配置することにより、帯鋸盤に備えたホイールに掛回することによって湾曲した場合であっても、引張り、圧縮の影響を少なくすることができるものである。既に理解されるように、前記記憶素子９に記憶してあるデータの読み取り、データの書き込みを行うことが容易であり、帯鋸刃１の履歴管理等が容易なものである。
【００２３】
前記帯鋸刃１を使用してワークＷの切断を行う帯鋸盤１１は、図２に示すように、ベース１３を備えており、このベース１３上には前記ワークＷを挟持固定自在のバイス装置１５が備えられている。前記バイス装置１５は、前記ワークＷを支持するバイスベッド１７上の一側部に固定バイスジョー１９Ｆを備え、かつこの固定バイスジョー１９Ｆと協働してワークＷを挟持自在の可動バイスジョー１９Ｍを移動自在に備えた構成であり、さらに前記バイスベッド１７の他側部には前記可動バイスジョー１９Ｍを往復動するための油圧シリンダ２１が装着してある。
【００２４】
前記バイス装置１５に固定された前記ワークＷの切断を行うために、前記ベース１３上にはガイドポスト２３が垂直に立設してあり、このガイドポスト２３には上下スライド２５を介して鋸刃ハウジング２７が上下動自在に案内支持されている。上記鋸刃ハウジング２７において、左右方向に長いビーム部材２９の左右両側の下部にはそれぞれホイールハウジング３１Ａ，３１Ｂが備えられており、一方のホイールハウジング３１Ａ内には駆動ホイール３３が回転自在に内装されており、他方のホイールハウジング３１Ｂ内には従動ホイール３５が回転自在に内装されている。そして、前記駆動ホイール３３と従動ホイール３５とに渡って前記帯鋸刃１が掛回してある。
【００２５】
前記駆動ホイール３３の回転制御が応答性良く行われ得るように、前記ホイールハウジング３１Ａの背面にはサーボモータ３７が装着してあり、このサーボモータ３７の出力軸３７Ａと前記駆動ホイール３３は、減速機構等を介在することなく直結してある。したがって、サーボモータ３７と駆動ホイール３３との動力伝達系の構成が簡単になると共に、慣性モーメントが小さくなり、駆動ホイール３３の回転制御を応答性良く行い得るものである。
【００２６】
前記鋸刃ハウジング２７を前記ガイドポスト２３に沿って上下動するために、鋸刃ハウジング上下動用の上下作動装置３９が設けられている。より詳細には、前記ベース１３には垂直に設けたボールネジ４１の下端部が回転自在に支持されており、このボールネジ４１の上端側には、前記ガイドポスト２３に支持された上下動用サーボモータ４３が連動連結してある。そして、前記ボールネジ４１には、前記鋸刃ハウジング２７に備えたナット部材４５が上下動自在に螺合してある。
【００２７】
したがって、上下動用サーボモータ４３によってボールネジ４１を正回転又は逆回転することにより、前記鋸刃ハウジング２７をガイドポスト２３に沿って上下動することができるものである。なお、ボールネジ４１とナット部材４５の関係は相対的なものであるから、ボールネジ４１を固定してナット部材４５を回転する構成とすることも可能なものである。
【００２８】
前記鋸刃ハウジング２７が上下動するとき、鋸刃ハウジング２７の上下動位置、換言すれば前記帯鋸刃１の上下動位置すなわちワークＷに対する帯鋸刃１の切込み位置を検出するために、切込み位置検出装置４７が設けられている。切込み位置検出装置４７としては、例えばリニアスケール等を用いた構成など種々の構成が採用可能であるが、理解を容易にするために、本例においては、ガイドポスト２３に沿って設けた上下方向のラック４９にピニオン５１が噛合した構成にて概略的に例示してある。
【００２９】
上下構成においては、鋸刃ハウジング２７が上下動すると、当該鋸刃ハウジング２７に支持されたピニオン５１が回転し、このピニオン５１に連動連結したパルスエンコーダ（図示省略）が回転されるので、このパルスエンコーダから出力されるパルスの計数を行うことにより、鋸刃ハウジング２７、帯鋸刃１の上下動位置すなわちワークＷに対する帯鋸刃１の切込み位置を知ることができるものである。
【００３０】
前記サーボモータ３７によって駆動ホイール３３を回転し、かつ前記上下作動装置３９を作動して鋸刃ハウジング２７を下降することにより、バイス装置１５上に固定されたワークＷの切断を行うことができるものである。この際、帯鋸刃１における鋸歯の刃先がワークＷの方向を指向するように保持して案内する鋸刃ガイド５３Ａ，５３Ｂが前記鋸刃ハウジング２７に支持されている。
【００３１】
より詳細には、一方の鋸刃ガイド５３Ａは、前記ビーム部材２９に固定した固定アーム５５の先端部に取付けてあり、他方の鋸刃ガイド５３Ｂは、前記固定アーム５５に対して接近離反する方向へ移動可能に前記ビーム部材２９に支持された可動アーム５７の先端部に取付けてある。そして、前記可動アーム５７には、前記帯鋸刃１の歯欠けを検出する歯欠けセンサ５９が装着してある。
【００３２】
上記歯欠けセンサ５９は、前記帯鋸刃１の走行駆動時に帯鋸刃１に備えた各鋸歯を例えば光学的に検出して、その検出信号をＣＮＣ制御装置のごとき制御装置６１に対して入力するものである。
【００３３】
さらに、前記鋸刃ハウジング２７には、前記帯鋸刃１に備えたＩＤチップ（ＩＣチップ）のごとき前記記憶素子９の読み取り、書き込みを行うためのリーダ／ライタ６３が備えられている。
【００３４】
前記構成のごとき帯鋸盤１１は、ＣＮＣ制御装置のごとき前記制御装置６１の制御の下に作動されるものである。この制御装置６１は、前記ワークＷに対する帯鋸刃１の切込み位置を検出するための前記切込み位置検出装置４７の検出位置と予め入力されているワークＷの形状、寸法に基づいて切削長を演算する切削長演算手段６５を備えていると共に、前記切削長演算手段６５の演算結果に基づいて帯鋸刃１に備えた帯鋸刃１Ａ，１Ｂを選択する帯鋸刃選択手段６７を備えている。
【００３５】
上記帯鋸刃選択手段６７は、前記切削長演算手段６５によって演算された切削長が、予め設定した設定値より小さいときには鋸刃ピッチの小さな帯鋸刃１ＡによってワークＷの切削を行い、前記切削長が設定値より大きいときには鋸刃ピッチの大きな帯鋸刃１ＢによってワークＷの切削を行うように帯鋸刃１Ａ，１Ｂを選択するものである。なお、前記切削長と設定値が等しくなったときには現在使用中の帯鋸刃によって継続してワークの切削を行うものである。
【００３６】
前記帯鋸選択手段６７によって帯鋸刃１Ａ，１Ｂが選択されると、鋸速制御手段６９の制御の下にサーボモータ３７が回転制御され、また切込み速度制御手段７１の制御の下に前記サーボモータ４３が回転制御されるものである。
【００３７】
前記鋸速制御手段６９は、帯鋸刃１Ａ，１Ｂに対応してワークＷの材質毎に予めデータ化してある切削長と鋸速との関係のデータを格納してある鋸速データテーブル７３から鋸速を検索して前記サーボモータ３７の回転速度すなわち鋸速を制御するものである。そして、前記切込み速度制御手段７１は、帯鋸刃１Ａ，１Ｂに対応してワークＷの材質毎に予めデータ化してある切削長と切込み速度との関係のデータが格納してある切込み速度データテーブル７５から切込み速度を検索して前記サーボモータ４３の回転速度すなわちワークＷに対する帯鋸刃の切込み速度を制御するものである。
【００３８】
さらに前記制御装置６１は、前記歯欠けセンサ５９の歯欠け検出によって前記帯鋸刃１Ａと帯鋸刃１Ｂとの境界を検出する境界検出手段７７を備えている。この境界検出手段７７は、帯鋸刃１がある速度で走行駆動されているとき、前記歯欠けセンサ５９によって鋸歯を検出する周期の大小によって、前記歯欠けセンサ５９に対応している帯鋸刃が１Ａであるか１Ｂであるかを判別すると共に、前記マーク３の部分を歯欠けセンサ５９が検出したときに、帯鋸刃１Ａと帯鋸刃１Ｂとの境界を検出したものと判別するものである。
【００３９】
この場合、帯鋸刃１Ａにおける鋸歯のピッチに起因する周期でもって鋸歯を検出していた後に前記マーク３を検出したときには、帯鋸刃１Ａの後に帯鋸刃１Ｂが続く境界部分であることと知ることができる。また、帯鋸刃１Ｂにおける鋸歯のピッチに起因する周期でもって鋸歯を検出していた後に前記マーク３を検出したときには、帯鋸刃１Ｂの後に帯鋸刃１Ａが続く境界部分である、と知ることができるものである。
【００４０】
ところで、前記マーク３は、鋸歯のピッチの大きな帯鋸刃１Ｂにおける鋸歯ピッチの３倍以上に設けることにより、帯鋸刃１Ａ，１Ｂに歯欠けを生じた場合、歯欠けを検出することができるものである。すなわち、歯欠けセンサ５９が帯鋸刃の鋸歯を検出しているときの検出信号は一定周期で出力されており、歯欠けを生じた部分においては上記一定周期は１歯分だけ長くなるので、前記マーク３の部分とは異なり、歯欠けであるとして検知できるものである。
【００４１】
すなわち、前記境界検出手段７７は、帯鋸刃１においての帯鋸刃１Ａと帯鋸刃１Ｂとの境界を検知することができると共に、帯鋸刃１に歯欠けを生じた場合には上記歯欠けを検出し得るものである。
【００４２】
なお、帯鋸刃１における鋸歯の歯欠けが連続した場合には、当該歯欠け部分の前側における鋸歯ピッチと前記歯欠け部分の後側の鋸歯ピッチとが等しいものであるから、前後の鋸歯ピッチを比較することにより、歯欠け部分が帯鋸刃１Ａ，１Ｂの境界であるかの判別を行い得るものである。
【００４３】
上記境界検出手段７７が前記マーク３を検知したときに、選択された帯鋸刃のみがワークＷの切削に寄与し、選択されなかった帯鋸刃はワークＷの切削を回避するように、また、帯鋸刃の歯欠けを検出したときには歯欠け部分がワークＷを回避するように機能する切削回避手段７９が設けられている。
【００４４】
上記切削回避手段７９は、前記歯欠けセンサ５９が帯鋸刃の歯欠け又は帯鋸刃１Ａと帯鋸刃１Ｂとの境界を示す第１のマーク３を検出したときに、切込み動作用の前記サーボモータ４３に対して一時停止指令を出力すると共に、帯鋸刃駆動用の前記サーボモータ４３に一時高速回転指令を出力するモータ制御手段８１を備えている。
【００４５】
そして、帯鋸刃の前記歯欠け部がワークＷの部分を通過したことを、例えばタイマの設定時間経過により検出したときに、前記歯欠け部を検出する前の切込み速度及び鋸速に制御（復帰）すべく前記サーボモータ４３，３７に制御信号（復帰信号）を出力する作用をなすものである。なお、前記歯欠けセンサ５９によって次の第２のマーク３を検出したときに、この第２のマーク３を検出して所定時間経過後に、前記第１のマーク３を検出する前の鋸速及び切込み速度でワークＷの切削を再開するように、前記サーボモータ３７，４３に対して復帰信号を出力する作用をなす構成であっても良いものである。
【００４６】
さらに、前記制御装置６１には、前記ＩＤタグ９に対してのデータの読取り、書き込みを行う前記リーダ／ライタ６３を制御するリーダ／ライタ制御手段８３が備えられている。したがって、前記ＩＤタグ９に記憶されている情報に基づいて帯鋸刃１Ａ，１Ｂの鋸速、切込み速度の制御が行い得ると共に、帯鋸刃の使用条件、使用時間等の情報を前記ＩＤタグ９に記憶することにより、帯鋸刃の寿命管理を行うことができるものである。
【００４７】
以上のごとき構成において、先ず、一般的な通常の帯鋸刃を駆動ホイール３３と従動ホイール３５に掛回してワークＷの切断加工を行うとき、サーボモータ３７を駆動して駆動ホイール３３を回転すると、歯欠けセンサ５９が帯鋸刃における各鋸刃を検出するので、境界検出手段（歯欠け検出手段）７７には、帯鋸刃に備えた複数の鋸歯のピッチに対応した所定のパターンで検出信号が得られることになる。
【００４８】
そして、帯鋸刃の一部に歯欠けが生じると、常態においての検出信号パターンと異なる検出信号パターンとなるので、検出信号パターンを常に比較することにより、帯鋸刃に歯欠けが報じたことを検知できるものである。この場合、帯鋸刃に歯欠けが生じた部分の鋸歯ピッチは、通常の鋸歯ピッチの２倍以上となるので、歯欠けとして容易に検知できるものである。
【００４９】
ここで、帯鋸刃１は矢印Ａ方向に走行駆動さており、帯鋸刃１の走行方向に見て前記歯欠けセンサ５９からワークＷまでの距離は既知であるので、鋸速との関係において、前記歯欠けセンサ５９が帯鋸刃の歯欠け部分を検出してから上記歯欠け部分がワークＷに達する時間が分る。
【００５０】
そこで、前記歯欠けセンサ５９が帯鋸刃の歯欠け部分を検出し境界検出手段７７によって歯欠け部分が検知されると、前記切削回避手段（歯欠け部回避手段）７９の制御の下に、帯鋸刃における前記歯欠け部分がワークＷに達したとき、より詳細にはワークＷに達する直前にサボモータ４３に一時停止信号が出力されるので、ワークＷに対する帯鋸刃の切込みが一時停止されると共に、サーボモータ３７に高速回転の指令信号が出力されるので、帯鋸刃における歯欠け部分はワークＷに対して高速で通過されることになる。そして、帯鋸刃における歯欠け部分がワークＷの位置を通過すると、サーボモータ３７，４３は、前記歯欠け部を検知する前の状態に復帰され、ワークＷの切削が再開されるものである。
【００５１】
したがって、帯鋸刃に歯欠けが生じた場合であっても、直ちに帯鋸刃を廃棄することなく使用することができるものである。なお、帯鋸盤に帯鋸刃の歯欠けを検出するための歯欠け検出手段を備えた構成であることにより、歯欠けに起因して帯鋸刃が破断する前に帯鋸刃を交換することが可能となり、安全性がより向上するものである。
【００５２】
前述したように、切削条件の異なる鋸歯群を備えた前記帯鋸刃１Ａ，１Ｂの両端を互いに溶接してエンドレス状に構成した前記帯鋸刃１を駆動ホイール３３、従動ホイール３５に掛回して、例えばＨ型鋼のごときワークＷの切断を行う場合、切削長の短いフランジ部分の切削を行う場合と、切削長の長いウエブ部分の切削を行う場合とにおいて、帯鋸刃１Ａ，１Ｂを使い分けるものである。すなわち、ワークＷの切削箇所における切削条件に対応して帯鋸刃１Ａ，１Ｂを使い分けるものである。
【００５３】
前述のごとく、切削条件の異なる帯鋸刃１Ａ，１Ｂを備えた帯鋸刃１を用いてワークＷの切断を行うときには、歯欠けセンサ５９によって帯鋸刃１Ａと帯鋸刃１Ｂとの接続部のマーク３を常に検知し、ワークＷに対してどちらの帯鋸刃１Ａ又は１Ｂが作用するのかを検知する。
【００５４】
なお、前記接続部付近に微小貫通孔を設けて、この微小貫通孔の位置、数等を光学的に検出することによって帯鋸刃１Ａ，１Ｂの境界を検知することも可能である。この場合には、前記歯欠けセンサ５９とは別個に境界検出センサを設けることになるものである。
【００５５】
前記歯欠けセンサ５９は、帯鋸刃の歯欠けを検出すると共に、帯鋸刃１Ａ，１Ｂの接続部を図１（Ａ），（Ｂ）に示したごとき構成とすることにより、帯鋸刃１Ａ，１Ｂの接続部（境界）をも検出できるものである。
【００５６】
さて、前記帯鋸刃１を使用してワークＷの切断加工を開始すると、切込み位置検出装置４７によってワークＷに対する帯鋸刃１の切込み位置が検出されるので、通常の帯鋸盤と同様に、帯鋸刃１がワークＷに接触する位置まではワークＷに対して急速接近するものである。そして、ワークＷに対して帯鋸刃１が接触してワークＷの切削を開始する初期においては、ワークＷの切削長は短いものであるから、ワークＷに対しては鋸刃ピッチの小さな帯鋸刃１Ａが切削を開始するように、帯鋸刃１の走行方向に見ての帯鋸刃の位置を制御し、帯鋸刃選択手段６７によって帯鋸刃１Ａが選択される。
【００５７】
すなわち、前記歯欠けセンサ５９によって帯鋸刃１Ａ，１Ｂにおける各鋸歯を検出し、この鋸歯の検出信号の周期の相違によって歯欠けセンサ５９に対応している帯鋸刃が１Ａ又は１Ｂであることを検知でき、かつその後にマーク３を検出することにより、対応する帯鋸刃が１Ａから１Ｂ又は１Ｂから１Ａに変化したことを検知することができるものである。
【００５８】
したがって、ワークＷに帯鋸刃１が接触して切削を開始する直前の位置においては前記サーボモータ４３の回転を低速に又は一時停止するように制御し、そして、歯欠けセンサ（境界検出センサ）５９が、鋸刃ピッチの大きな帯鋸刃１Ｂから鋸刃ピッチの小さな帯鋸刃１Ａに変化したことを検出したときに、ワークＷに対する帯鋸刃の切込みが開始されるものである。
【００５９】
この際、帯鋸刃１Ａに対応して鋸速データテーブル７３から鋸速を検索して鋸速制御手段６９によってサーボモータ３７が制御され、鋸速が制御される。また、切込み速度データテーブル７５から切込み速度を検索し、切込み速度制御手段７１の制御の下にサーボモータ４３が制御され、切込み速度が制御される。
【００６０】
そして、次に、前記歯欠けセンサ５９によって鋸歯ピッチの小さな帯鋸刃１Ａから鋸刃ピッチの大きな帯鋸刃１Ｂに変化したことを検知したとき、すなわち境界を示すマーク３を検出したときには、切削回避手段７９のモータ制御手段８１の制御の下に前記サーボモータ４３を一時的に停止してワークＷに対する帯鋸刃の切込みを一時停止すると共に、サーボモータ３７を高速回転して、ワークＷの切削加工位置に対して帯鋸刃１Ｂを高速で通過させるものである。
【００６１】
この際、帯鋸刃１ＢはワークＷに対して切込むようなことがなく、帯鋸刃１Ｂにおける鋸歯の歯欠けを生じるようなことがないものである。なお、前記サーボモータ４３の前記一時停止時にはサーボモータ４３の回転を完全に停止しても良く、またワークＷに対して帯鋸刃の微少量の切込みが行われるように、許容範囲内においてサーボモータ４３を低速回転しても良いものであり、この場合も一時停止の場合に含まれるものである。
【００６２】
上述のごとく帯鋸刃１Ｂが高速で通過した後、前述同様にして歯欠けセンサ５９に対応する部分が帯鋸刃１Ａに変化したことを検知した後に、前記サーボモータ３７，４３は前述同様に回転駆動され、帯鋸刃１ＡによるワークＷの切削が再開されるものである。
【００６３】
すなわち、ワークＷの切断初期においては、鋸歯ピッチの小さな帯鋸刃１ＡによってワークＷの切削が行われ、鋸歯ピッチの大きな帯鋸刃１ＢがワークＷに近接したときにはワークの切削を行うことなく高速で通過されるものであるから、切削長の短い初期に鋸歯ピッチの大きな帯鋸刃がワークに作用して歯欠けを生じるようなことを抑制できるものである。
【００６４】
前述のごとく、帯鋸刃１ＡによるワークＷの切削が進行し、切込み位置検出装置４７による検出位置とワークＷの形状、寸法に基づいてワークＷの切削長が切削長演算手段６５によって演算され、演算した切削長が設定値より短い場合、例えばＨ形鋼のフランジ部の切削が継続している場合には前述した動作が繰り返され、帯鋸刃１Ａによる切削が継続される。
【００６５】
そして、例えばＨ形鋼のウエブ部を切断するようになり、切削長演算手段６５でもって演算した切削長が設定値より大になると、帯鋸刃選択手段６７により、帯鋸刃１ＢによってワークＷの切削を行うように帯鋸刃１Ｂが選択される。この帯鋸盤１Ｂの選択は、前述したように帯鋸刃１Ａを選択する動作に準じて行われるものである。
【００６６】
ワークＷの切削長に対応して帯鋸刃１Ｂが選択されると、帯鋸刃１Ｂに対応して前記鋸速データテーブル７３の検索が行われて鋸速が制御されると共に、切込み速度データテーブル７５の検索が行われて、ワークＷに対する帯鋸刃１Ｂの切込み速度が制御されるものである。そして、ワークＷの切削加工位置に帯鋸刃１Ａが近接したことを検知したときには、前述した動作に準じて、今度はワークＷに対して帯鋸刃１Ａが切削することなく（前述したように微少量の切削は含む）高速で通過するものである。
【００６７】
既に理解されるように、ワークＷの切削長が短い部分に対しては鋸歯ピッチの小さな帯鋸刃１Ａが対応し、切削長の長い部分に対しては鋸刃ピッチの大きな帯鋸刃１Ｂが対応するものであるから、切削長の短い部分において鋸歯の切込みが過大になることを防止でき、過大な切込みによる鋸歯の歯欠けを防止できるものである。また、ワークＷの切削長に対して鋸歯ピッチが小さいことに起因して鋸歯間のガレットに切粉が詰って切削不可能になるようなこともないものである。
【００６８】
したがって、例えばＨ形鋼等のごとくフランジとウエブを備えたワークや切削長の変化が大きなワークの場合であっても、何等の問題を生じることなくワークの切断を行うことができるものである。
【００６９】
そして、ワークＷの切断終了後には、制御装置６１に備えたリーダ／ライタ制御手段８３の制御の下にリーダ／ライタ６３を介してＩＤタグ９に対して例えば、ワークＷの加工面積等の情報を書き込むものである。したがって、帯鋸刃１の再使用時に、前記ＩＤタグ９に書き込まれた情報を読み取ることにより帯鋸刃１の寿命を知ることができ、帯鋸刃１の寿命管理を容易に行い得るものである。
【００７０】
ところで、本発明は前述のごとき実施形態のみに限るものではなく、その他の形態でも実施し得るものである。例えば、前記ＩＤタグ９に、当該ＩＤタグ９から帯鋸刃１Ａと１Ｂとの接続部までの位置情報を記憶し、当該ＩＤタグ９が接続部のマークを兼ねることも可能である。なお、ＩＤタグ９は帯鋸刃１Ａ，１Ｂにそれぞれ備えても良いものである。
【００７１】
また、前述の説明においては、選択した適正な帯鋸刃１Ａ（又は１Ｂ）によってワークＷの切削を行なっているとき、不適正な帯鋸刃１Ｂ（又は１Ａ）がワークＷの加工位置に達するとき又は達したときには、不適正な帯鋸刃による切削を回避してワークＷの加工位置を高速で通過させる旨の説明を行なったが、モータ制御手段８１の制御によって帯鋸刃の走行方向（回転方向）を逆にして不適正な帯鋸刃を戻すことによってワークの切削を回避する構成とすることも可能である。
【００７２】
さらには、帯鋸刃１としては、鋸歯ピッチの異なる帯鋸刃１Ａ，１Ｂに限ることなく、ワークＷの材質、例えば易削材に対応する帯鋸刃と難削材に対応する帯鋸刃のように切削条件が異なる複数の帯鋸刃をエンドレス状に溶接しても良く、また、一本の帯鋸刃に切削条件の異なる鋸歯群をそれぞれ形成しても良いものである。
【００７３】
なお、帯鋸盤としては横型帯鋸盤に限ることなく竪型帯鋸盤にも同様の構成を採用し得るものである。
【００７４】
【発明の効果】
以上のごとき説明より理解されるように、切削条件の異なる複数の帯鋸刃をエンドレス状に接続した構成であるから、ワークの切削時に切削条件の異なる部分があるような場合であっても、その切削条件に対応した適正な帯鋸刃を選択してワークの切断を行なうことができるものであり、前述したごとき従来の問題を解消し得るものである。
【図面の簡単な説明】
【図１】本発明の実施形態に係る帯鋸刃の説明図である。
【図２】同上の帯鋸刃を備えた帯鋸盤の全体的構成を示す概略的な説明図である。
【図３】同上の帯鋸盤を制御するための制御装置における主要部分の構成を示したブロック図である。
【符号の説明】
１，１Ａ，１Ｂ…帯鋸刃
５…胴部材
９…記憶素子（ＩＤタグ）
１１…帯鋸盤
３７…サーボモータ
４３…サーボモータ
４７…切込み位置検出装置
５９…歯欠けセンサ（境界検出センサ）
６１…制御装置
６３…リーダ／ライタ
６５…切削長演算手段
６７…帯鋸刃選択手段
６９…鋸速制御手段
７１…切込み速度制御手段
７３…鋸速データテーブル
７５…切込み速度データテーブル
７７…境界検出手段
７９…切削回避手段
【図１】
2004261950.tif 000003
【図２】
2004261950.tif 000004
【図３】
2004261950.tif 000005